(57)【要約】【課題】デジタル放送受信装置をモジュール化して別に設け、デジタル放送受信装置ではミュート処理に関する処理を追加しなくても、年齢視聴制限機能を簡単に追加できる情報記録再生装置を提供する。【解決手段】デジタル放送受信装置では、テレビ放送信号に含まれるパレンタル情報を常に監視して視聴制限年齢をステータスデータとして出力し、視聴制限がかかっているテレビ番組の受信を開始すると、パレンタル情報の変化をステータスデータに反映させる。メインブロックでは、ステータスデータの変化を確認したとき、ステータスデータが示す視聴制限年齢と、設定された年齢視聴制限データが示す視聴制限年齢とを比較し、ステータスデータが示す視聴制限年齢が、設定された年齢視聴制限データが示す視聴制限年齢以上であることを示すとき、デジタル放送受信装置から出力されたＡＶ信号をミュートする。【選択図】図３
2009049846.tif 000002
【特許請求の範囲】
【請求項１】
デジタル方式のテレビ放送信号を受信して所望のテレビ番組の音声信号と映像信号を出力するデジタル放送受信装置を備えると共に、記録媒体に対してテレビ番組やその他の情報を記録したり、記録媒体に記録されたテレビ番組やその他の情報を再生したりするメインブロックを備えた情報記録再生装置において、
前記デジタル放送受信装置をモジュール化して別に設け、
テレビ放送信号に含まれるパレンタル情報を常に監視し、そのパレンタル情報が示す視聴制限年齢をステータスデータとして出力するパレンタル情報監視手段と、
視聴制限がかかっているテレビ番組の受信を開始すると、テレビ放送信号に含まれるパレンタル情報の変化をステータスデータに反映させると共に、前記視聴制限がかかっているテレビ番組の受信が終了すると、テレビ放送信号に含まれるパレンタル情報の変化をステータスデータに反映させるステータス反映手段とを前記デジタル放送受信装置に備えると共に、
セットアップメニューで設定された年齢視聴制限データをメモリに格納する年齢視聴制限データ格納手段と、
定期的にデジタル放送受信装置のステータスデータを調査し、この調査によりステータスデータが変化しているか否かを確認するステータスデータ変化確認手段と、
前記ステータスデータの変化が確認されたとき、前記ステータスデータが示す視聴制限年齢と前記設定された年齢視聴制限データが示す視聴制限年齢とを比較する年齢比較手段と、
前記比較結果が、前記ステータスデータが示す視聴制限年齢が前記設定された年齢視聴制限データが示す視聴制限年齢以上であることを示すとき、前記デジタル放送受信装置から出力された音声信号と映像信号をミュートするミュート手段と、
前記音声信号と映像信号がミュートされた後、前記ステータスデータ変化確認手段によりステータスデータが変化しているか否かの確認を続け、前記ステータスデータの変化が確認されたとき、前記ステータスデータが示す視聴制限年齢と前記設定された年齢視聴制限データが示す視聴制限年齢との比較を前記年齢比較手段により行い、前記比較結果が、前記ステータスデータが示す視聴制限年齢が前記設定された年齢視聴制限データが示す視聴制限年齢未満であることを示すとき、前記デジタル放送受信装置から出力される音声信号と映像信号のミュートを解除するミュート解除手段とを前記メインブロックに備えたことを特徴とする情報記録再生装置。
【請求項２】
前記ミュート手段は、前記デジタル放送受信装置の出力側に接続されたミュート回路を遮断動作させることにより、前記デジタル放送受信装置から出力された音声信号と映像信号をミュートさせることを特徴とする請求項１に記載の情報記録再生装置。
【請求項３】
前記ミュート解除手段は、前記デジタル放送受信装置の出力側に接続されたミュート回路を導通動作させることにより、前記デジタル放送受信装置から出力された音声信号と映像信号のミュートを解除させることを特徴とする請求項１に記載の情報記録再生装置。
【発明の詳細な説明】
【技術分野】
【０００１】
本発明は、デジタル方式のテレビ放送信号を受信して所望のテレビ番組の音声信号と映像信号を出力するデジタル放送受信装置を備え、記録媒体に対してテレビ番組やその他の情報を記録したり、記録媒体に記録されたテレビ番組やその他の情報を再生したりする情報記録再生装置に関し、特に、テレビ番組を視聴する視聴者の年齢を制限する年齢視聴制限機能に関する。
【背景技術】
【０００２】
地上デジタルテレビ放送や衛星テレビ放送などの放送システムにおいては、暴力シーンやわいせつシーンなど、子供の教育上好ましくないシーンが含まれているテレビ番組が多い。そこで、近年、このような教育上問題のあるシーンについては、その放送に対して何らかの年齢視聴制限の規制が設けられている。
【０００３】
このような規制をパレンタルと呼び、ハードディスクレコーダやＤＶＤレコーダなどの情報記録再生装置では、年齢視聴制限を行うパレンタルレベルが予め設定されている。例えば、パレンタルレベルが低い方から順番に１，２，３，４，５，６，７，８のレベルがあり、装置のパレンタルレベルが５に設定されている場合、テレビ放送のパレンタルレベル５以下の情報が視聴できるが、パレンタルレベル６，７，８の情報は視聴することができないようになっている。
【０００４】
装置のパレンタルレベルは、ユーザが情報記録再生装置のリモートコントローラなどを操作して任意に設定できるようになっている。また、装置のパレンタルレベルを変更するときは、ユーザが予め登録した数桁の数列からなる暗証番号をパスワードとして装置に入力し、パレンタルロックを解除してパレンタルレベルの変更を行っている。
【特許文献１】特開２００６−１８０１２１号公報
【発明の開示】
【発明が解決しようとする課題】
【０００５】
情報記録再生装置として例えばＤＶＤレコーダにおける年齢視聴制限機能について説明する。ＤＶＤレコーダは、大きく分けて、チューナを含むデジタル放送受信装置（デジタル波受信モジュール）と、記録部、再生部、システムコントローラなどを含むメインブロックから構成されている。そして、年齢視聴制限の処理は、一通りデジタル放送受信装置で行っているため、デジタル放送受信装置の方で、メインブロックから年齢視聴制限データを取得する機能、メインブロックから年齢制限機能のオンまたはオフを制御する機能が必要であり、また、デジタル放送受信装置で音声映像信号（ＡＶ信号）をミュートするには、デジタルコンテンツ（クイズなどができるようなデータ）やサブタイトルなどを別々に停止させないと出来ないので、処理が複雑になる。
【０００６】
したがって、従来の情報再生装置では、前記のような問題点があるので、年齢視聴制限機能を簡単に追加することができず、また、デジタル放送受信装置の変更も容易に行うことができず、開発コストが高くなると言う課題があった。
【０００７】
なお、特許文献１の従来技術は、テレビ受信機とディスク装置との間における視聴制限レベルの選定に関するものであり、メインブロックとデジタル放送受信装置を備えた例えばＤＶＤレコーダにおけるとの年齢視聴制限機能に関するものではない。
【０００８】
本発明は、上記のような課題を解決するためになされたもので、デジタル放送受信装置をモジュール化して別に設け、デジタル放送受信装置ではミュート処理に関する処理を追加しなくても、年齢視聴制限機能を簡単に追加することができる情報記録再生装置を提供することを目的とする。
【課題を解決するための手段】
【０００９】
上記目的を達成するために、請求項１の発明は、デジタル方式のテレビ放送信号を受信して所望のテレビ番組の音声信号と映像信号を出力するデジタル放送受信装置を備えると共に、記録媒体に対してテレビ番組やその他の情報を記録したり、記録媒体に記録されたテレビ番組やその他の情報を再生したりするメインブロックを備えた情報記録再生装置において、前記デジタル放送受信装置をモジュール化して別に設け、テレビ放送信号に含まれるパレンタル情報を常に監視し、そのパレンタル情報が示す視聴制限年齢をステータスデータとして出力するパレンタル情報監視手段と、視聴制限がかかっているテレビ番組の受信を開始すると、テレビ放送信号に含まれるパレンタル情報の変化をステータスデータに反映させると共に、前記視聴制限がかかっているテレビ番組の受信が終了すると、テレビ放送信号に含まれるパレンタル情報の変化をステータスデータに反映させるステータス反映手段とを前記デジタル放送受信装置に備えると共に、セットアップメニューで設定された年齢視聴制限データをメモリに格納する年齢視聴制限データ格納手段と、定期的にデジタル放送受信装置のステータスデータを調査し、この調査によりステータスデータが変化しているか否かを確認するステータスデータ変化確認手段と、前記ステータスデータの変化が確認されたとき、前記ステータスデータが示す視聴制限年齢と前記設定された年齢視聴制限データが示す視聴制限年齢とを比較する年齢比較手段と、前記比較結果が、前記ステータスデータが示す視聴制限年齢が前記設定された年齢視聴制限データが示す視聴制限年齢以上であることを示すとき、前記デジタル放送受信装置から出力された音声信号と映像信号をミュートするミュート手段と、前記音声信号と映像信号がミュートされた後、前記ステータスデータ変化確認手段によりステータスデータが変化しているか否かの確認を続け、前記ステータスデータの変化が確認されたとき、前記ステータスデータが示す視聴制限年齢と前記設定された年齢視聴制限データが示す視聴制限年齢との比較を前記年齢比較手段により行い、前記比較結果が、前記ステータスデータが示す視聴制限年齢が前記設定された年齢視聴制限データが示す視聴制限年齢未満であることを示すとき、前記デジタル放送受信装置から出力される音声信号と映像信号のミュートを解除するミュート解除手段とを前記メインブロックに備えたことを特徴とする情報記録再生装置を提供する。
【００１０】
この構成において、デジタル放送受信装置では、テレビ放送信号に含まれるパレンタル情報が常に監視され、そのパレンタル情報が示す視聴制限年齢がステータスデータとして出力される。視聴制限がかかっているテレビ番組の受信が開始されると、テレビ放送信号に含まれるパレンタル情報の変化がステータスデータに反映されると共に、視聴制限がかかっているテレビ番組の受信が終了すると、テレビ放送信号に含まれるパレンタル情報の変化がステータスデータに反映される。
【００１１】
また、メインブロックでは、セットアップメニューで設された年齢視聴制限データがメモリに格納され、定期的にデジタル放送受信装置のステータスデータが調査され、この調査によりステータスデータが変化しているか否かが確認される。前記ステータスデータの変化が確認されたとき、前記ステータスデータが示す視聴制限年齢と前記設定された年齢視聴制限データが示す視聴制限年齢とが比較される。前記比較結果が、前記ステータスデータが示す視聴制限年齢が前記設定された年齢視聴制限データが示す視聴制限年齢以上であることを示すとき、前記デジタル放送受信装置から出力された音声信号と映像信号がミュートされる。
【００１２】
前記音声信号と映像信号がミュートされた後、前記ステータスデータ変化確認手段によりステータスデータが変化しているか否かの確認が続けられ、前記ステータスデータの変化が確認されたとき、前記ステータスデータが示す視聴制限年齢と前記設定された年齢視聴制限データが示す視聴制限年齢との比較が行われ、前記比較結果が、前記ステータスデータが示す視聴制限年齢が前記設定された年齢視聴制限データが示す視聴制限年齢未満であることを示すとき、前記デジタル放送受信装置から出力される音声信号と映像信号のミュートが解除される。
【００１３】
この構成によれば、デジタル放送受信装置をモジュール化して別に設け、デジタル放送受信装置ではミュート処理に関する処理を追加しなくても、年齢視聴制限機能を簡単に追加することができる情報記録再生装置を提供することができる。また、デジタル放送受信装置をモジュール化して別に設けているので、デジタル放送受信装置の変更があっても、メインブロックがデジタル放送受信装置側のステータスデータを調査するために、デジタル放送受信装置からメインブロックにステータスデータを送るだけなので、年齢視聴制限機能を簡単に情報記録再生装置に追加することができ、したがって、モジュール化されたデジタル放送受信装置を備えた情報記録再生装置において、年齢視聴制限機能を追加しても、情報記録再生装置の開発コストを抑えることができる。
【００１４】
請求項２の発明では、請求項１の発明において、前記ミュート手段は、前記デジタル放送受信装置の出力側に接続されたミュート回路を遮断動作させることにより、前記デジタル放送受信装置から出力された音声信号と映像信号をミュートさせるので、前記デジタル放送受信装置にミュートに関する処理を追加しなくても、前記デジタル放送受信装置から出力された音声信号と映像信号をミュートさせることが可能になる。
【００１５】
請求項３の発明では、請求項１の発明において、前記ミュート解除手段は、前記デジタル放送受信装置の出力側に接続されたミュート回路を導通動作させることにより、前記デジタル放送受信装置から出力された音声信号と映像信号のミュートを解除させるので、前記ミュート回路の導通動作により、前記デジタル放送受信装置から出力された音声信号と映像信号のミュートを解除させることが可能になる。
【発明の効果】
【００１６】
以上のように本発明によれば、デジタル放送受信装置をモジュール化して別に設け、デジタル放送受信装置ではミュート処理に関する処理を追加しなくても、年齢視聴制限機能を簡単に追加することができる情報記録再生装置を提供することができる。また、デジタル放送受信装置をモジュール化して別に設けているので、デジタル放送受信装置の変更があっても、メインブロックがデジタル放送受信装置側のステータスデータを調査するために、デジタル放送受信装置からメインブロックにステータスデータを送るだけなので、年齢視聴制限機能を簡単に情報記録再生装置に追加することができ、したがって、モジュール化されたデジタル放送受信装置を備えた情報記録再生装置において、年齢視聴制限機能を追加しても、情報記録再生装置の開発コストを抑えることができる。
【発明を実施するための最良の形態】
【００１７】
以下、添付図面を参照しつつ、本発明の実施の形態について説明する。図１は本発明の一実施形態に係る情報記録再生装置としてのＤＶＤレコーダの構成を示すブロック図である。なお、ここでは、情報記録再生装置としてＤＶＤレコーダについて説明するが、これに限らず、情報記録再生装置としては、ＢＤ（ブルーレイ・ディスク）レコーダ、ハードディスクレコーダ、あるいは、それらの複合機であっても、同様な年齢視聴制限機能に関する処理を適用でき、同様な効果を得ることができる。
【００１８】
このＤＶＤレコーダＡは、装置全体を制御するシステムコントローラ２２と、光ディスク（ＤＶＤ等）１を回転させるスピンドルモータ５と、光ディスク１に対して情報の書き込み／読み出しを光学的に行う光ピックアップ２と、この光ピックアップ２を光ディスク１の半径方向に移動させるためのスレッド３と、システムコントローラ２２の指示に応じてスピンドルモータ５およびスレッド３を駆動すると共に光ピックアップ２に内蔵された対物レンズ（図示せず）を動かすことによりレーザ光の焦点位置を光ディスク１の記録面に対して垂直方向および水平方向に移動させる制御を行うサーボ制御部４とを備えている。
【００１９】
また、このＤＶＤレコーダＡは、光ディスク１の再生時に光ピックアップ２からの読取信号であるＲＦ信号を増幅するＲＦアンプ６と、このＲＦアンプ６から出力されたＲＦ信号をデジタルデータに変換した後に光ディスク１のデータフォーマットに応じた信号復調処理と誤り訂正処理を行って生成したデータをバッファメモリとしてのＲＡＭ７に格納するデジタル信号処理部８と、システムコントローラ２２の指示に応じてデジタル信号処理部８から出力されたデータストリームの中からオーディオデータとサブピクチャデータとビデオデータとを分離するストリーム分離部９とを備えている。
【００２０】
また、このＤＶＤレコーダＡは、ストリーム分離部９から出力されたオーディオデータを入力して所定のデコード処理を行うオーディオデコーダ１１と、このオーディオデコーダ１１でのデコード処理を行うためにデータを一時的に格納するＲＡＭ１０と、ストリーム分離部９から出力されたサブピクチャデータを入力して所定のデコード処理を行うサブピクチャデコーダ１３と、このサブピクチャデコーダ１３でのデコード処理を行うためにデータを一時的に格納するＲＡＭ１２と、ストリーム分離部９から出力されたビデオデータを入力してＭＰＥＧでデコード処理を行うビデオデコーダ１５と、このビデオデコーダ１５でのデコード処理を行うためにデータを一時的に格納するＲＡＭ１４とを備えている。
【００２１】
また、このＤＶＤレコーダＡは、システムコントローラ２２の指示に応じてビデオデコーダ１５から出力されたデータとサブピクチャデコーダ１３から出力されたデータとを合成するビデオプロセッサ１７と、このビデオプロセッサ１７から出力された合成データを表示用の映像信号に変換して、その映像信号を例えばモニタ装置２０の映像回路に供給するビデオエンコーダ１８と、オーディオデコーダ１１から出力されたデータをアナログのオーディオ信号に変換して、そのオーディオ信号を例えばモニタ装置２０の音声回路に供給するＤ／Ａ変換器１６とを備えている。
【００２２】
なお、信号切換回路１９は、ビデオモード時においてデジタル放送受信装置１００からの映像信号および音声信号を直接モニタ装置２０に供給したり、ビデオモードに設定した後、再生モード時に光ディスク１から再生された映像信号および音声信号をモニタ装置２０に供給したりするのを切り換える回路であり、操作部２１の操作信号に応答したシステムコントローラ２２により制御される。
【００２３】
また、このＤＶＤレコーダＡは、システムコントローラ２２に対して、記録指示を与えるための記録キー、再生指示を与えるための再生キー、記録や再生の停止指示を与えるための停止キーなど、各種操作キーを有するリモコンなどの操作部２１を備えている。また、このＤＶＤレコーダＡは、装置の各構成要素を制御したり、装置全体を制御したりするためのプログラムやデータが記憶されたフラッシュＲＯＭ２３と、このフラッシュＲＯＭ２３のプログラムやデータに従って演算処理を行いシステムコントローラ２２を制御するＣＰＵ２４と、このＣＰＵ２４の演算処理に必要なデータを一時的に格納するＲＡＭ２７とを備えている。
【００２４】
また、このＤＶＤレコーダＡは、アンテナ２８に接続されるデジタル放送受信装置１００と、このデジタル放送受信装置１００で選局されたテレビジョン放送の音声映像信号、あるいは他の映像音声出力機器からの音声映像信号をデジタルの映像音声データに変換するＡ／Ｄ変換回路３０と、デジタル放送受信装置１００とＡ／Ｄ変換回路３０との間に設けられたミュート回路３５と、前記映像音声データをＭＰＥＧでエンコードするエンコーダ３１と、前記エンコードした映像音声データ（エンコードデータ）を一時的に所定量だけ格納するバッファメモリとしてのＲＡＭ３２と、記録データ変調回路２５と接続するインターフェースであるＡＴＡＰＩ（AT Attachment Packet Interface）３３と、このＡＴＡＰＩ３３から送られてきたエンコードデータを光ディスク１に記録するために変調をかける記録データ変調回路２５と、この記録データ変調回路２５により変調された変調データに基づいて光ピックアップ２から出射するレーザ光を変調させるためのレーザ変調信号を光ピックアップ２に出力するレーザ変調回路２６とを備えている。
【００２５】
デジタル放送受信装置１００には、アンテナ２８で受信したテレビ放送信号に含まれるパレンタル情報を常に監視し、そのパレンタル情報が示す視聴制限年齢をステータスデータとして出力するパレンタル情報監視手段と、視聴制限がかかっているテレビ番組の受信を開始すると、テレビ放送信号に含まれるパレンタル情報の変化をステータスデータに反映させると共に、前記視聴制限がかかっているテレビ番組の受信が終了すると、テレビ放送信号に含まれるパレンタル情報の変化をステータスデータに反映させるステータス反映手段とが備えられている。
【００２６】
メインブロックのシステムコントローラ２２には、セットアップメニューで設定された年齢視聴制限データをＲＡＭ２７に格納する年齢視聴制限データ格納手段と、定期的にデジタル放送受信装置１００のステータスデータを調査し、この調査によりステータスデータが変化しているか否かを確認するステータスデータ変化確認手段と、前記ステータスデータの変化が確認されたとき、前記ステータスデータが示す視聴制限年齢と前記設定された年齢視聴制限データが示す視聴制限年齢とを比較する年齢比較手段と、前記比較結果が、前記ステータスデータが示す視聴制限年齢が前記設定された年齢視聴制限データが示す視聴制限年齢以上であることを示すとき、デジタル放送受信装置１００から出力された音声信号と映像信号をミュートするミュート手段と、前記音声信号と映像信号がミュートされた後、前記ステータスデータ変化確認手段によりステータスデータが変化しているか否かの確認を続け、前記ステータスデータの変化が確認されたとき、前記ステータスデータが示す視聴制限年齢と前記設定された年齢視聴制限データが示す視聴制限年齢との比較を前記年齢比較手段により行い、前記比較結果が、前記ステータスデータが示す視聴制限年齢が前記設定された年齢視聴制限データが示す視聴制限年齢未満であることを示すとき、デジタル放送受信装置１００から出力される音声信号と映像信号のミュートを解除するミュート解除手段とが備えられている。
【００２７】
図２は図１中のデジタル放送受信装置１００の構成を示すブロック図である。このデジタル放送受信装置１００は、テレビ放送電波を受信するアンテナ２８、受信した放送電波の中から所望のチャンネルの放送電波を選局するチューナ部１１２、このチューナ部１１２から出力された映像音声データの復調および誤りの訂正処理を行う復調・誤り訂正部１１３、映像データ、音声データ、番組情報のデータ、およびその他のデータ（パレンタル情報、デジタルコンテンツ、サブタイトル）が多重化されているデジタル放送信号から各データを分離抽出するデマルチプレクサ１１５、復調されたデジタル放送信号に付加されている不正視聴防止用のスクランブル信号を解除するデスクランブラ１１４、およびデジタル圧縮された音声データをアナログ音声信号にデコードする音声デコーダ１１９を備えている。
【００２８】
また、このデジタル放送受信装置１００は、デジタル圧縮された映像データを展開してＲＧＢ信号にデコードする映像デコーダ１２０、この映像デコーダ１２０から出力されるＲＧＢ信号を１フレーム分格納するフレームメモリ１２１、ＲＧＢ信号を例えばコンポジット映像信号にダウンコンバートする信号変換回路１２２、デマルチプレクサ１１５により分離された番組情報を復調する番組情報復調部１１７、番組情報などが記録されるメモリ１１６、前記番組情報に基づいてテレビ受信機などのモニタ装置に表示する電子番組案内表データを作成するＯＳＤ（オン・スクリーン・ディスプレイ）処理部１１８、および以上の構成要素を制御する制御部１２３を備えている。
【００２９】
図３は本実施形態においてＤＶＤレコーダにおいてデジタル放送受信装置とメインブロックとの関係を説明するためのブロック図である。図３において、ＤＶＤレコーダＡは、大きく分けて、モジュール化されたデジタル放送受信装置１００とメインブロック１０１を備えている。メインブロック１０１には、図１に示すＤＶＤレコーダＡにおいてデジタル放送受信装置１００を除いた構成要素が含まれる。メインブロック１０１は、デジタル放送受信装置１００と通信し、デジタル放送受信装置１００を制御している。また、デジタル放送受信装置１００で受信されるデジタル波のＡＶ信号（音声・映像信号）は、一度、メインブロック１０１を通った後、テレビジョン受像機などのＡＶ機器であるモニタ装置２０に出力される。
【００３０】
このＤＶＤレコーダＡにおいて、年齢視聴制限をかける場合は、放送波に載せられているパレンタル情報が示す視聴制限年齢（ステータスデータが示す視聴制限年齢）と、ＤＶＤレコーダＡのセットアップメニューで設定された年齢視聴制限データが示す視聴制限年齢とを比較して視聴制限を行う。そこで、デジタル放送受信装置１００で行う処理は、年齢視聴制限データをステータスデータとしてメインブロック１０１に送るのみとして、前記の両視聴制限年齢の比較は、メインブロック１０１で行い、視聴制限を行わないといけない場合は、メインブロック１０１においてデジタル放送受信装置１００からのＡＶ信号をミュートさせる。これにより、ＤＶＤレコーダＡでは年齢視聴制限機能を実現することができる。
【００３１】
図４は本実施形態において年齢視聴制限機能の処理を説明するためのフローチャートである。このフローチャートおよび図１〜図３を参照して年齢視聴制限機能の処理について説明する。このフローチャートにおいて、ステップＳ１〜ステップＳ１１までの処理は、ＤＶＤレコーダＡのメインブロック１０１側で実行される処理を示し、ステップＮ１〜ステップＮ５までの処理は、デジタル放送受信装置１００側で実行される処理を示す。
【００３２】
先ず、ユーザは、操作部２１を操作してモニタ装置２０にセットアップメニューを表示させる。そして、セットアップメニューにて当該テレビ番組の視聴制限を行う年齢が設定される。これにより、メインブロック１０１のシステムコントローラ２２の年齢視聴制限データ格納手段は、その年齢をＲＡＭ２７に格納する（ステップＳ１）。一方、デジタル放送受信装置１００において、制御部１２３のパレンタル情報監視手段は、テレビ放送信号に含まれるパレンタル情報を常に監視し、そのパレンタル情報が示す視聴制限年齢をステータスデータとして出力する（ステップＮ１）。
【００３３】
メインブロック１０１のシステムコントローラ２２のステータスデータ変化確認手段は、定期的にデジタル放送受信装置１００のステータスデータを調査し（ステップＳ２）、この調査によりステータスデータが変化しているか否かを確認する（ステップＳ３）。
【００３４】
ここで、デジタル放送受信装置１００は、視聴制限がかかっているテレビ番組の受信を開始すると（ステップＮ２）、デジタル放送受信装置１００の制御部１２３のステータス反映手段は、テレビ放送信号に含まれるパレンタル情報の変化をステータスデータに反映させる（ステップＮ３）と共に、前記視聴制限がかかっているテレビ番組の受信が終了すると（ステップＮ４）、テレビ放送信号に含まれるパレンタル情報の変化をステータスデータに反映させる（ステップＮ５）。
【００３５】
メインブロック１０１において、デジタル放送受信装置１００から出力されているステータスデータが変化しているか否かを確認し（ステップＳ３）、変化していることが確認されたとき、メインブロック１０１のシステムコントローラ２２の年齢比較手段は、前記ステータスデータが示す視聴制限年齢Ｘと前記設定された年齢視聴制限データが示す視聴制限年齢Ｙとを比較する（ステップＳ４）。
【００３６】
前記比較結果が、前記ステータスデータが示す視聴制限年齢Ｘが前記設定された年齢視聴制限データが示す視聴制限年齢Ｙ以上であることを示すとき（ステップＳ５のＹｅｓ）、メインブロック１０１のシステムコントローラ２２のミュート手段は、ミュート回路３５を遮断動作させ、これにより、デジタル放送受信装置１００から出力された音声信号と映像信号を遮断し、音声・映像をミュートする（ステップＳ６）。したがって、セットアップメニューで設定された年齢の人には、視聴させてはいけない番組は、モニタ装置２０には、音声出力および映像出力されることがなくなる。
【００３７】
前記比較結果が、前記ステータスデータが示す視聴制限年齢Ｘが前記設定された年齢視聴制限データが示す視聴制限年齢Ｙ未満であることを示すとき（ステップＳ５のＮｏ）、定期的にステータスデータを調査するステップＳ２の処理に戻る。この場合は、セットアップメニューで設定された年齢の人が視聴しても良い番組であるので、メインブロック１０１は、音声・映像をミュートせずに、デジタル放送受信装置１００から出力されるステータスデータの監視を続ける。即ち、メインブロック１０１のシステムコントローラ２２のステータスデータ変化確認手段は、定期的にデジタル放送受信装置１００のステータスデータを調査し（ステップＳ７）、この調査によりステータスデータが変化しているか否かを確認する（ステップＳ８）。
【００３８】
前記変化していることが確認されたとき、メインブロック１０１のシステムコントローラ２２の年齢比較手段は、前記ステータスデータが示す視聴制限年齢Ｘと前記設定された年齢視聴制限データが示す視聴制限年齢Ｙとを比較する（ステップＳ９）。前記比較結果が、前記ステータスデータが示す視聴制限年齢Ｘが前記設定された年齢視聴制限データが示す視聴制限年齢Ｙ未満であることを示すとき（ステップＳ１０のＮｏ）、視聴制限をかけないといけない番組が終了したことになるので、メインブロック１０１のシステムコントローラ２２のミュート解除手段は、ミュート回路３５を導通動作させ、これにより、デジタル放送受信装置１００から出力された音声信号と映像信号は、ミュートが解除され（ステップＳ１１）、信号切換回路１９を介してモニタ装置２０に供給され、モニタ装置２０から音声出力および映像出力が行われる。ミュートが解除された後は、ステップＳ２の処理に戻る。
【００３９】
以上説明したように本実施形態によれば、デジタル放送受信装置１００をモジュール化して別に設け、デジタル放送受信装置１００ではミュート処理に関する処理を追加しなくても、年齢視聴制限機能を簡単に追加することができるＤＶＤレコーダＡを提供することができる。また、デジタル放送受信装置１００をモジュール化して別に設けているので、デジタル放送受信装置１００の変更があっても、メインブロック１０１がデジタル放送受信装置１００側のステータスデータを調査するために、デジタル放送受信装置１００からメインブロック１０１にステータスデータを送るだけなので、年齢視聴制限機能を簡単にＤＶＤレコーダＡに追加することができ、したがって、モジュール化されたデジタル放送受信装置１００を備えたＤＶＤレコーダＡにおいて、年齢視聴制限機能を追加しても、ＤＶＤレコーダＡの開発コストを抑えることができる。
【産業上の利用可能性】
【００４０】
本発明は、ＤＶＤレコーダやハードディスクレコーダなどの情報記録再生装置における年齢視聴制限機能に利用可能である。
【図面の簡単な説明】
【００４１】
【図１】本発明の一実施形態に係る情報記録再生装置としてのＤＶＤレコーダの構成を示すブロック図である。
【図２】図１中のデジタル放送受信装置の構成を示すブロック図である。
【図３】前記実施形態においてＤＶＤレコーダにおいてデジタル放送受信装置とメインブロックとの関係を説明するためのブロック図である。
【図４】前記実施形態において年齢視聴制限機能の処理を説明するためのフローチャートである。
【符号の説明】
【００４２】
Ａ    ＤＶＤレコーダ（情報記録再生装置）
１    光ディスク（記録媒体）
２２    システムコントローラ（年齢視聴制限データ格納手段、ステータスデータ変化確認手段、年齢比較手段、ミュート手段、ミュート解除手段）
３５    ミュート回路
１００    デジタル放送受信装置
１０１    メインブロック
１２３    制御部（パレンタル情報監視手段、ステータス反映手段）
【図１】
2009049846.tif 000003
【図２】
2009049846.tif 000004
【図３】
2009049846.tif 000005
【図４】
2009049846.tif 000006